【手続補正書】
【提出日】平成26年3月13日(2014.3.13)
【手続補正１】
【補正対象書類名】明細書
【補正対象項目名】００８４
【補正方法】変更
【補正の内容】
【００８４】
本開示の様々な修正及び変更は、本開示の範囲及び原理から逸脱することなく当業者には明白であり、また、本開示は、本明細書に記載した例示的な実施形態に不当に制限されるものではないと理解すべきである。
以下に、本願発明に関連する発明の実施形態について列挙する。
［実施形態１］
下記の式Ｉ：
ＦＳＯ２（ＣＦ２）ｎＳＯ３Ｙ （Ｉ）
（式中、Ｙは、Ｈ又は好適な対カチオンからなる群から選択され、ｎは１〜６である）による化合物を作製する方法であって、
（ａ）下記の式ＩＩ：
ＦＳＯ２（ＣＦ２）ｎＳＯ２Ｆ （ＩＩ）
による化合物であって、第１及び第２のスルホニルフルオリド基を有する、化合物を用意する工程と、
（ｂ）式ＩＩの前記化合物を９０〜１２０モル％の水と混合する工程と、
（ｃ）式ＩＩによる前記化合物を前記水と反応させて、式Ｉによる化合物を作製する工程であって、前記第１のスルホニルフルオリド基が−ＳＯ３Ｙ基に変換され、前記第２のスルホニルフルオリド基が変化しない、工程と、を含む、方法。
［実施形態２］
前記反応が、式ＩＩの前記化合物の少なくとも９０％を式Ｉの前記化合物に変換することを含む、実施形態１に記載の方法。
［実施形態３］
ｎが１〜４である、実施形態１に記載の方法。
［実施形態４］
ｎが３である、実施形態１に記載の方法。
［実施形態５］
式ＩＩによる前記化合物の量に対して少なくとも８０モル％の塩基の存在下で、前記反応工程を行う、実施形態１〜４のいずれか一項に記載の方法。
［実施形態６］
２５℃以下に維持された温度で、前記反応工程を行う、実施形態１〜５のいずれか一項に記載の方法。
［実施形態７］
アセトン、アセトニトリル、テトラヒドロフラン、及びこれらの組み合わせからなる群から選択される溶媒中で、前記反応工程を行う、実施形態１〜６のいずれか一項に記載の方法。
［実施形態８］
下記の式ＩＩＩ：
Ｒ１−ＣＦ２−ＳＯ２−ＮＺ−ＳＯ２（ＣＦ２）ｎＳＯ３Ｙ （ＩＩＩ）
による化合物であって、式中、ｎは２〜６であり、Ｙは、Ｈ及び好適な対カチオンからなる群から選択され、Ｒ１は、分枝状、非分枝状、又は環状で、飽和、不飽和、又は芳香族であり、任意でヘテロ原子を含み、任意で置換されている有機基からなる群から選択され、
Ｚは、Ｈ又は好適な対カチオンからなる群から選択される、化合物。
［実施形態９］
ｎが１〜４である、実施形態８に記載の化合物。
［実施形態１０］
ｎが３である、実施形態８に記載の化合物。
［実施形態１１］
Ｒ１が、１〜１５個の炭素原子と０〜４個の酸素原子とを含む分枝状又は非分枝状の高フッ素化フルオロアルキル又はフルオロエーテル基である、実施形態８〜１０のいずれか一項に記載の化合物。
［実施形態１２］
Ｒ１が、１〜１５個の炭素原子と０〜４個の酸素原子とを含む分枝状又は非分枝状のペルフルオロアルキル又はペルフルオロエーテル基である、実施形態８〜１０のいずれか一項に記載の化合物。
［実施形態１３］
実施形態８に記載の化合物を含むと共に、下記の式ＩＶ：
Ｒ１−ＣＦ２−ＳＯ２−ＮＺ−ＳＯ２（ＣＦ２）ｎＳＯ２−ＮＺ−ＳＯ２−ＣＦ２−Ｒ１ （ＩＶ）
（式中、ｎは２〜６であり、各Ｒ１は、分枝状、非分枝状、又は環状で、飽和、不飽和、又は芳香族であり、任意でヘテロ原子を含み、任意で置換されている有機基からなる群から独立して選択され、
各Ｚは、Ｈ及び好適な対カチオンからなる群から独立して選択される）による化合物を実質的に含まない組成物。
［実施形態１４］
下記の式Ｖ：
−（−ＳＯ２−ＮＺ−ＳＯ２−Ｒｆ−）ｍ−（ＳＯ３Ｙ）ｐ （Ｖ）
による基を含むペンダント基を有するポリマーであって、
前記ポリマーが高フッ素化されており、
式中、ｍが１〜６であり、ｐが少なくとも１であり、Ｙが、Ｈ及び好適な対カチオンからなる群から選択され、
Ｒｆが、分枝状、非分枝状、又は環状の高フッ素化アルキル、ペルフルオロアルキル、ペルフルオロエーテル、ペルフルオロアルキルアミノ（ペルフルオロアルキル）２からなる群から選択される多価フッ素化合物基であり、
Ｚが、Ｈ及び好適な対カチオンからなる群から選択される、ポリマー。
［実施形態１５］
前記ポリマーがペルフルオロ化されている、実施形態１４に記載のポリマー。
［実施形態１６］
Ｒｆ基が、（−ＣＦ２−）ｎ基（式中、ｎは１〜６である）である、実施形態１４に記載のポリマー。
［実施形態１７］
Ｒｆ基が、（−ＣＦ２−）ｎ基（式中、ｎは１〜４であり、ｍは１である）である、実施形態１４に記載のポリマー。
［実施形態１８］
Ｒｆ基が、（−ＣＦ２−）ｎ基（式中、ｎは３であり、ｍは１である）である、実施形態１４に記載のポリマー。
［実施形態１９］
前記ペンダント基が、下記の式ＶＩ：
−Ｒ３−ＳＯ２−ＮＺ−ＳＯ２（ＣＦ２）ｎＳＯ３Ｙ （ＶＩ）
（式中、ｎは１〜６であり、Ｙは、Ｈ及び好適な対カチオンからなる群から選択され、Ｒ３は、１〜１５個の炭素原子と０〜４個の酸素原子とを含む分枝状又は非分枝状の高フッ素化脂肪族基であり、
Ｚは、Ｈ及び好適な対カチオンからなる群から選択される）による基である、実施形態１４に記載のポリマー。
［実施形態２０］
ｎが１〜４である、実施形態１４又は実施形態１９に記載のポリマー。
［実施形態２１］
ｎが２〜３である、実施形態１４又は実施形態１９に記載のポリマー。
［実施形態２２］
ｎが３である、実施形態１４又は実施形態１９に記載のポリマー。
［実施形態２３］
極性溶媒中の実施形態１４に記載のポリマーの分散。
［実施形態２４］
実施形態１４に記載のポリマーと、安定化添加剤とを含むポリマー電解質組成物。
［実施形態２５］
前記安定化添加剤が、Ｍｎ及びＣｅからなる群から選択される元素を含む、実施形態２４に記載のポリマー電解質組成物。
［実施形態２６］
実施形態１４に記載のポリマーを含む電極。
［実施形態２７］
実施形態１４に記載のポリマーを含むポリマー電解質膜。
［実施形態２８］
多孔質支持マトリックスを含む複合膜であって、孔に、実施形態１４に記載のポリマーが実質的に含浸されている、複合膜。
［実施形態２９］
ガーレー値が１０秒／５０ｃｃ未満である、実施形態２８に記載の複合膜。
［実施形態３０］
実施形態２７に記載のポリマー電解質膜を含む膜電極接合体。
［実施形態３１］
実施形態１４に記載のポリマーを作製する方法であって、下記の式ＶＩＩ：
−ＣＦ２−ＳＯ２−ＮＨ２ （ＶＩＩ）
によるペンダント基を有するポリマーを、下記の式ＩＩ：
ＦＳＯ２（ＣＦ２）ｎＳＯ２Ｆ （ＩＩ）
（式中、ｎは１〜６である）による化合物と反応させる工程を含む、方法。
［実施形態３２］
実施形態１４に記載のポリマーを作製する方法であって、下記の式ＶＩＩＩ：
−ＣＦ２−ＳＯ２Ｆ （ＶＩＩＩ）
によるペンダント基を有するポリマーを、下記の式ＩＸ：
ＨＳＯ３（ＣＦ２）ｎ−ＳＯ２−ＨＮ２ （ＩＸ）
（式中、ｎは１〜６である）による化合物と反応させる工程を含む、方法。
［実施形態３３］
実施形態８に記載の化合物を作製する方法であって、下記の式ＸＩ：
Ｒ１−ＣＦ２−ＳＯ２−ＮＨ２ （ＸＩ）
による基を含む化合物を、下記の式ＩＩ：
ＦＳＯ２（ＣＦ２）ｎＳＯ２Ｆ （ＩＩ）
による化合物と反応させる工程を含み、式中、ｎは２〜６であり、Ｒ１は、分枝状、非分枝状、又は環状で、飽和、不飽和、又は芳香族であり、任意でヘテロ原子を含み、任意で置換されている基からなる群から選択される、方法。
［実施形態３４］
実施形態８に記載の化合物を作製する方法であって、下記の式ＸＩＩ：
Ｒ１−ＣＦ２−ＳＯ２Ｆ （ＸＩＩ）
による基を含む化合物を、下記の式ＩＸ：
ＨＳＯ３（ＣＦ２）ｎ−ＳＯ２−ＨＮ２ （ＩＸ）
による化合物と反応させる工程を含み、式中、ｎは２〜６であり、Ｒ１は、分枝状、非分枝状、又は環状で、飽和、不飽和、又は芳香族であり、任意でヘテロ原子を含み、任意で置換されている基からなる群から選択される、方法。
［実施形態３５］
Ｒ１が下記の式ＸＩ：
ＣＦ２＝ＣＦ−Ｏ−Ｒ４− （ＸＩＩＩ）
（式中、−Ｒ４−は、分枝状、非分枝状、又は環状で、飽和、不飽和、又は芳香族であり、任意でヘテロ原子を含み、任意で置換されている有機基からなる群から選択される）による基である、実施形態８〜１０のいずれか一項に記載の化合物。
【手続補正２】
【補正対象書類名】特許請求の範囲
【補正対象項目名】全文
【補正方法】変更
【補正の内容】
【特許請求の範囲】
【請求項１】
下記の式Ｖ：
−（−ＳＯ２−ＮＺ−ＳＯ２−Ｒｆ−）ｍ−（ＳＯ３Ｙ）ｐ  （Ｖ）
による基を含むペンダント基を有するポリマーであって、
前記ポリマーが高フッ素化されており、
式中、ｍが１〜６であり、ｐが少なくとも１であり、Ｙが、Ｈ及び好適な対カチオンからなる群から選択され、
Ｒｆが、分枝状、非分枝状、又は環状の高フッ素化アルキル、ペルフルオロエーテル、ペルフルオロアルキルアミノ（ペルフルオロアルキル）２からなる群から選択される多価フッ素化合物基であり、
Ｚが、Ｈ及び好適な対カチオンからなる群から選択される、ポリマー。
【請求項２】
Ｒｆが多価フッ素化合物基ペルフルオロアルキルである、請求項１に記載のポリマー。
【請求項３】
請求項１又は２に記載のポリマーと、安定化添加剤とを含むポリマー電解質組成物。
【請求項４】
請求項１又は２に記載のポリマーを含む電極。
【請求項５】
請求項１又は２に記載のポリマーを含むポリマー電解質膜。
【請求項６】
多孔質支持マトリックスを含む複合膜であって、孔に、請求項１又は２に記載のポリマーが実質的に含浸されている、複合膜。
【請求項７】
請求項１又は２に記載のポリマー電解質膜を含む膜電極接合体。
【請求項８】
下記の式ＩＩＩ：
Ｒ１−ＣＦ２−ＳＯ２−ＮＺ−ＳＯ２（ＣＦ２）ｎＳＯ３Ｙ  （ＩＩＩ）
による化合物であって、式中、ｎは２〜６であり、Ｙは、Ｈ及び好適な対カチオンからなる群から選択され、Ｒ１は、分枝状、非分枝状、又は環状で、飽和、不飽和、又は芳香族であり、任意でヘテロ原子を含み、任意で置換されている有機基からなる群から選択され、
Ｚは、Ｈ又は好適な対カチオンからなる群から選択される、化合物。